(57)【特許請求の範囲】
【請求項１】
正面開口部を有するケース体と、このケース体の正面開口部を閉塞する閉塞体とを備えた収納ケースであって、前記閉塞体は、前記ケース体の正面開口部に着脱自在に係合装着し開口部を有する枠材と、この枠材の開口縁部に上下回動自在に枢着連結し該枠材の開口部を開閉する蓋材とから成り、前記ケース体の正面開口縁部に前記枠材を突き合せた際、前記ケース体の正面開口縁部にして上下対向縁部，左右対向縁部の少なくとも一方に設けた軸状部に着脱自在に圧入被嵌係合する凹状部を、前記枠材の開口縁部にして前記軸状部に対設される上下対向縁部，左右対向縁部の少なくとも一方に設けることで、前記ケース体の正面開口部に対して前記枠材を上下反転させて係合装着可能に設けて、前記蓋材の開閉方向を上開き若しくは下開きのいずれの方向に設定し得る構成とし、前記蓋材が前記枠材の開口部を閉塞した状態に係止保持する係脱自在な蓋閉塞保持手段を備えるとともに、前記蓋材を開放回動して前記枠材の開口部を開放した状態に係止保持する係脱自在な蓋開放保持手段を備えたことを特徴とする収納ケース。
【請求項２】
正面開口部を有するケース体と、このケース体の正面開口部を閉塞する閉塞体とを備えた収納ケースであって、前記閉塞体は、前記ケース体の正面開口部に着脱自在に係合装着し開口部を有する枠材と、この枠材の開口縁部に上下回動自在に枢着連結し該枠材の開口部を開閉する蓋材とから成り、前記ケース体の正面開口縁部に前記枠材を突き合せた際、前記枠材の開口縁部にして上下対向縁部，左右対向縁部の少なくとも一方に設けた軸状部に着脱自在に圧入被嵌係合する凹状部を、前記ケース体の正面開口縁部にして前記軸状部に対設される上下対向縁部，左右対向縁部の少なくとも一方に設けることで、前記ケース体の正面開口部に対して前記枠材を上下反転させて係合装着可能に設けて、前記蓋材の開閉方向を上開き若しくは下開きのいずれの方向に設定し得る構成とし、前記蓋材が前記枠材の開口部を閉塞した状態に係止保持する係脱自在な蓋閉塞保持手段を備えるとともに、前記蓋材を開放回動して前記枠材の開口部を開放した状態に係止保持する係脱自在な蓋開放保持手段を備えたことを特徴とする収納ケース。
【請求項３】
正面開口部を有するケース体と、このケース体の正面開口部を閉塞する閉塞体とを備えた収納ケースであって、前記閉塞体は、前記ケース体の正面開口部に着脱自在に係合装着し開口部を有する枠材と、この枠材の開口縁部に上下回動自在に枢着連結し該枠材の開口部を開閉する蓋材とから成り、前記ケース体の正面開口部に対して前記枠材を上下反転させて係合装着可能に設けて、前記蓋材の開閉方向を上開き若しくは下開きのいずれの方向に設定し得る構成とし、前記蓋材が前記枠材の開口部を閉塞した状態に係止保持する係脱自在な蓋閉塞保持手段を備えるとともに、前記蓋材を開放回動して前記枠材の開口部を開放した状態に係止保持する係脱自在な蓋開放保持手段を備え、前記蓋開放保持手段は、前記蓋材の基端部である枢着側端部に開放用係止凸部を一体成形し、この蓋材を開放回動させて前記開口部を開放した際に前記開放用係止凸部が係脱自在に乗り越え係止する開放用係合凸部を、前記枠材の開口縁部若しくは開口縁部の近傍に一体成形した構成としたことを特徴とする収納ケース。
【請求項４】
前記開放用係合凸部が一体成形される前記枠材の開口縁部若しくは開口縁部の近傍を、前記開放用係止凸部が係脱自在に乗り越え係止する際に前記開放用係合凸部が没方向へ移動するよう弾性変形する合成樹脂製の板状部で構成したことを特徴とする請求項３記載の収納ケース。
【請求項５】
前記板状部は断面円弧凹状であり、この板状部の凹状内面に前記開放用係合凸部が一体成形されていることを特徴とする請求項４記載の収納ケース。
【請求項６】
前記蓋開放保持手段は、前記蓋材を、水平より上方の開放回動位置で係止保持するように、少なくとも前記蓋材に一体成形する前記開放用係止凸部の成形位置を設定構成したことを特徴とする請求項３〜５のいずれか１項に記載の収納ケース。
【請求項７】
正面開口部を有するケース体と、このケース体の正面開口部を閉塞する閉塞体とを備えた収納ケースであって、前記閉塞体は、前記ケース体の正面開口部に着脱自在に係合装着し開口部を有する枠材と、この枠材の開口縁部に上下回動自在に枢着連結し該枠材の開口部を開閉する蓋材とから成り、前記ケース体の正面開口部に対して前記枠材を上下反転させて係合装着可能に設けて、前記蓋材の開閉方向を上開き若しくは下開きのいずれの方向に設定し得る構成とし、前記蓋材が前記枠材の開口部を閉塞した状態に係止保持する係脱自在な蓋閉塞保持手段を備えるとともに、前記蓋材を開放回動して前記枠材の開口部を開放した状態に係止保持する係脱自在な蓋開放保持手段を備え、前記蓋閉塞保持手段は、前記蓋材の先端部に閉塞用係止凸部を一体成形し、この蓋材を前記枠材に対し閉塞回動させて前記開口部を閉塞した際に前記閉塞用係止凸部が係脱自在に乗り越え係止する閉塞用係合凸部を、前記枠材の開口縁部若しくは開口縁部の近傍に一体成形した構成としたことを特徴とする収納ケース。
【請求項８】
前記蓋閉塞保持手段は、前記蓋材の先端部の内側に前記閉塞用係止凸部を一体成形し、前記枠材の開口部の下側開口縁部に前記閉塞用係合凸部を一体成形した構成としたことを特徴とする請求項７記載の収納ケース。
【請求項９】
前記ケース体は、ケース上部に設けた上係合部に凹凸係合する下係合部をケース下部に設けて、複数のケース体を凹凸係合状態で積重ね連結し得る構成であることを特徴とする請求項１〜８のいずれか１項に記載の収納ケース。
【請求項１０】
前記蓋材に指掛け部を設けたことを特徴とする請求項１〜９のいずれか１項に記載の収納ケース。
【発明の詳細な説明】
【技術分野】
【０００１】
本発明は、例えば衣類や玩具などを収納する収納ケースに関するものである。
【背景技術】
【０００２】
従来から、収納ケースとして、例えば特開平１０−２５８８４０号に開示されるような収納ケース（以下、従来例）が提案されている。
【０００３】
この従来例は、正面開口部を有するケース体と、このケース体の正面開口部を閉塞する開閉扉体とを備えた収納ケースであり、単独で使用できると共に、複数積層して任意段数の収納ケースとしても使用できる。
【先行技術文献】
【特許文献】
【０００４】
【特許文献１】特開平１０−２５８８４０号公報
【発明の概要】
【発明が解決しようとする課題】
【０００５】
本発明は、前述した収納ケースに関して更なる研究・開発を進めた結果、従来にない作用効果を発揮する画期的な収納ケースを開発した。
【課題を解決するための手段】
【０００６】
添付図面を参照して本発明の要旨を説明する。
【０００７】
正面開口部１ａを有するケース体１と、このケース体１の正面開口部１ａを閉塞する閉塞体２とを備えた収納ケースであって、前記閉塞体２は、前記ケース体１の正面開口部１ａに着脱自在に係合装着し開口部５ａを有する枠材５と、この枠材５の開口縁部に上下回動自在に枢着連結し該枠材５の開口部５ａを開閉する蓋材６とから成り、前記ケース体１の正面開口縁部に前記枠材５を突き合せた際、前記ケース体１の正面開口縁部にして上下対向縁部，左右対向縁部の少なくとも一方に設けた軸状部７に着脱自在に圧入被嵌係合する凹状部８を、前記枠材５の開口縁部にして前記軸状部７に対設される上下対向縁部，左右対向縁部の少なくとも一方に設けることで、前記ケース体１の正面開口部１ａに対して前記枠材５を上下反転させて係合装着可能に設けて、前記蓋材６の開閉方向を上開き若しくは下開きのいずれの方向に設定し得る構成とし、前記蓋材６が前記枠材５の開口部５ａを閉塞した状態に係止保持する係脱自在な蓋閉塞保持手段９を備えるとともに、前記蓋材６を開放回動して前記枠材５の開口部５ａを開放した状態に係止保持する係脱自在な蓋開放保持手段10を備えたことを特徴とする収納ケースに係るものである。
【０００８】
また、正面開口部１ａを有するケース体１と、このケース体１の正面開口部１ａを閉塞する閉塞体２とを備えた収納ケースであって、前記閉塞体２は、前記ケース体１の正面開口部１ａに着脱自在に係合装着し開口部５ａを有する枠材５と、この枠材５の開口縁部に上下回動自在に枢着連結し該枠材５の開口部５ａを開閉する蓋材６とから成り、前記ケース体１の正面開口縁部に前記枠材５を突き合せた際、前記枠材５の開口縁部にして上下対向縁部，左右対向縁部の少なくとも一方に設けた軸状部７に着脱自在に圧入被嵌係合する凹状部８を、前記ケース体１の正面開口縁部にして前記軸状部７に対設される上下対向縁部，左右対向縁部の少なくとも一方に設けることで、前記ケース体１の正面開口部１ａに対して前記枠材５を上下反転させて係合装着可能に設けて、前記蓋材６の開閉方向を上開き若しくは下開きのいずれの方向に設定し得る構成とし、前記蓋材６が前記枠材５の開口部５ａを閉塞した状態に係止保持する係脱自在な蓋閉塞保持手段９を備えるとともに、前記蓋材６を開放回動して前記枠材５の開口部５ａを開放した状態に係止保持する係脱自在な蓋開放保持手段10を備えたことを特徴とする収納ケースに係るものである。
【０００９】
また、正面開口部１ａを有するケース体１と、このケース体１の正面開口部１ａを閉塞する閉塞体２とを備えた収納ケースであって、前記閉塞体２は、前記ケース体１の正面開口部１ａに着脱自在に係合装着し開口部５ａを有する枠材５と、この枠材５の開口縁部に上下回動自在に枢着連結し該枠材５の開口部５ａを開閉する蓋材６とから成り、前記ケース体１の正面開口部１ａに対して前記枠材５を上下反転させて係合装着可能に設けて、前記蓋材６の開閉方向を上開き若しくは下開きのいずれの方向に設定し得る構成とし、前記蓋材６が前記枠材５の開口部５ａを閉塞した状態に係止保持する係脱自在な蓋閉塞保持手段９を備えるとともに、前記蓋材６を開放回動して前記枠材５の開口部５ａを開放した状態に係止保持する係脱自在な蓋開放保持手段10を備え、前記蓋開放保持手段10は、前記蓋材６の基端部である枢着側端部に開放用係止凸部10ａを一体成形し、この蓋材６を開放回動させて前記開口部５ａを開放した際に前記開放用係止凸部10ａが係脱自在に乗り越え係止する開放用係合凸部10ｂを、前記枠材５の開口縁部若しくは開口縁部の近傍に一体成形した構成としたことを特徴とする収納ケースに係るものである。
【００１０】
また、前記開放用係合凸部10ｂが一体成形される前記枠材５の開口縁部若しくは開口縁部の近傍を、前記開放用係止凸部10ａが係脱自在に乗り越え係止する際に前記開放用係合凸部10ｂが没方向へ移動するよう弾性変形する合成樹脂製の板状部11で構成したことを特徴とする請求項３記載の収納ケースに係るものである。
【００１１】
また、前記板状部11は断面円弧凹状であり、この板状部11の凹状内面に前記開放用係合凸部10ｂが一体成形されていることを特徴とする請求項４記載の収納ケースに係るものである。
【００１２】
また、前記蓋開放保持手段10は、前記蓋材６を、水平より上方の開放回動位置で係止保持するように、少なくとも前記蓋材６に一体成形する前記開放用係止凸部10ａの成形位置を設定構成したことを特徴とする請求項３〜５のいずれか１項に記載の収納ケースに係るものである。
【００１３】
また、正面開口部１ａを有するケース体１と、このケース体１の正面開口部１ａを閉塞する閉塞体２とを備えた収納ケースであって、前記閉塞体２は、前記ケース体１の正面開口部１ａに着脱自在に係合装着し開口部５ａを有する枠材５と、この枠材５の開口縁部に上下回動自在に枢着連結し該枠材５の開口部５ａを開閉する蓋材６とから成り、前記ケース体１の正面開口部１ａに対して前記枠材５を上下反転させて係合装着可能に設けて、前記蓋材６の開閉方向を上開き若しくは下開きのいずれの方向に設定し得る構成とし、前記蓋材６が前記枠材５の開口部５ａを閉塞した状態に係止保持する係脱自在な蓋閉塞保持手段９を備えるとともに、前記蓋材６を開放回動して前記枠材５の開口部５ａを開放した状態に係止保持する係脱自在な蓋開放保持手段10を備え、前記蓋閉塞保持手段９は、前記蓋材６の先端部に閉塞用係止凸部９ａを一体成形し、この蓋材６を前記枠材５に対し閉塞回動させて前記開口部５ａを閉塞した際に前記閉塞用係止凸部９ａが係脱自在に乗り越え係止する閉塞用係合凸部９ｂを、前記枠材５の開口縁部若しくは開口縁部の近傍に一体成形した構成としたことを特徴とする収納ケースに係るものである。
【００１４】
また、前記蓋閉塞保持手段９は、前記蓋材６の先端部の内側に前記閉塞用係止凸部９ａを一体成形し、前記枠材５の開口部５ａの下側開口縁部に前記閉塞用係合凸部９ｂを一体成形した構成としたことを特徴とする請求項７記載の収納ケースに係るものである。
【００１５】
また、前記ケース体１は、ケース上部に設けた上係合部３に凹凸係合する下係合部４をケース下部に設けて、複数のケース体１を凹凸係合状態で積重ね連結し得る構成であることを特徴とする請求項１〜８のいずれか１項に記載の収納ケースに係るものである。
【００１６】
また、前記蓋材６に指掛け部12を設けたことを特徴とする請求項１〜９のいずれか１項に記載の収納ケースに係るものである。
【発明の効果】
【００１７】
本発明は上述のように構成したから、ユーザーの使い勝手に応じて使用スタイルを適宜選択することができ、しかも、秀れた機能を発揮するなど、非常に便利で実用的な収納ケースとなる。
【図面の簡単な説明】
【００１８】
【図１】本実施例の使用状態説明図である。
【図２】本実施例を示す斜視図である。
【図３】本実施例の要部を説明する分解斜視図である。
【図４】本実施例を示す斜視図である。
【図５】本実施例の動作説明図である。
【図６】本実施例の要部の説明断面図である。
【図７】本実施例の要部の動作説明図である。
【図８】本実施例の要部の動作説明図である。
【図９】本実施例の要部の説明断面図である。
【図１０】本実施例の要部の動作説明図である。
【図１１】本実施例の要部の動作説明図である。
【図１２】本実施例の要部の動作説明図である。
【発明を実施するための形態】
【００１９】
好適と考える本発明の実施形態（発明をどのように実施するか）を、図面に基づいて本発明の作用を示して簡単に説明する。
【００２０】
例えばケース体１の正面開口部１ａを閉塞する閉塞体２を開放操作し、ケース体１内への収納物の出し入れを行う。
【００２１】
具体的には、閉塞体２は、ケース体１の正面開口部１ａに着脱自在に係合装着し開口部５ａを有する枠材５と、この枠材５の開口縁部に上下回動自在に枢着連結し該枠材５の開口部５ａを開閉する蓋材６とから成り、蓋材６を回動操作して枠材５の開口部５ａを開放し、この枠材５の開口部５ａからケース体１内への収納物の出し入れを行う。
【００２２】
ところで、本発明は、ケース体１の正面開口部１ａに対して枠材５を上下反転させて係合装着可能に設けて、蓋材６の開閉方向を上開き若しくは下開きのいずれの方向に設定し得る構成としており、例えば単独での使用時は勿論、ケース体１を複数用意し、このケース体１同士を上下に積重ねた状態での使用の場合、例えば、上段のケース体１に設けられる閉塞体２の蓋材６を上開きできる状態とし、下段のケース体１に設けられる閉塞体２の蓋材６を、ケース体１の正面開口部１ａに対して枠材５を上下反転させて装着することで下開きできる状態とするというような、ユーザーの使い勝手に応じた使用スタイルが得られる。
【００２３】
また、本発明は、蓋材６が枠材５の開口部５ａを閉塞した状態に係止保持する係脱自在な蓋閉塞保持手段９を備えるとともに、蓋材６を開放回動して枠材５の開口部５ａを開放した状態に係止保持する係脱自在な蓋開放保持手段10を備えており、前述したように枠材５を上下反転させる作業の際、不意に扉材６が開放してしまうことは無く作業性が良く、また、実際の使用時、下開きするような状態での使用時に閉じ状態の扉材６が不意に開放したり、一方、上開きするような状態での使用時に開いた蓋材６が不意に閉じてしまうことは無いなど、様々な場面において両手段が十分に機能することになる。
【実施例】
【００２４】
本発明の具体的な実施例について図面に基づいて説明する。
【００２５】
本実施例は、正面開口部１ａを有するケース体１と、このケース体１の正面開口部１ａを閉塞する閉塞体２とを備えた収納ケースである。
【００２６】
以下、本実施例に係る構成各部について詳細な説明をする。
【００２７】
ケース体１は、図１〜４に図示したように適宜な合成樹脂製の部材で形成した方形状の正面開口部１ａを有する方形箱状体であり、具体的には、底面板部１Ａと、左右側面板部１Ｂと、天面板部１Ｃと、背面板部（図示省略）で構成されている。尚、天面板部１Ｃは、左右側面板部１Ｂ及び背面板部夫々の上端部と突き合せて着脱自在に係合連結し得るように構成されている。
【００２８】
また、ケース体１の正面開口縁部にして上下対向縁部には、該縁部に沿って長さを有する軸状部７が複数箇所（四箇所）に設けられている。
【００２９】
この軸状部７は、ケース体１の正面開口縁部に後述する閉塞体２を構成する枠材５を突き合せた際、枠材５の開口縁部にして該軸状部７に対設される上下対向縁部に設けられる凹状部８が係脱自在に圧入被嵌係合するように構成されている。
【００３０】
従って、ケース体１に対して枠材５を上下反転（１８０度回転）させて着脱自在に係合装着可能となる。
【００３１】
尚、ケース体１の正面開口縁部にして左右対向縁部に軸状部７を設け、この軸状部７に着脱自在に圧入被嵌係合する凹状部８を、枠材５の開口縁部にして軸状部７に対設される左右対向縁部に設けるようにしても良いし、ケース体１の正面開口縁部にして上下対向縁部及び左右対向縁部の双方に設けた軸状部７に着脱自在に圧入被嵌係合する凹状部８を、枠材５の開口縁部にして軸状部７に対設される上下対向縁部及び左右対向縁部の双方に設けても良く、更に、枠材５の開口縁部に軸状部７を設け、この軸状部７に着脱自在に圧入被嵌係合する凹状部８をケース体１の正面開口縁部に設けるようにしても良い。
【００３２】
また、ケース体１は、ケース上部（天面板部１Ｃの上面）に設けた凹状の上係合部３に凹凸係合する凸状の下係合部４をケース下部（底面板部１Ａの下面）に設けて、複数のケース体１を凹凸係合状態で積重ね連結し得るように構成されている。
【００３３】
従って、ケース体１を複数用意し、このケース体１同士を上下に積重ねると、一のケース体１のケース上部に設けられた上係合部３に、他のケース体１のケース下部に設けられた下係合部４が凹凸係合し、よって、不意に上下に積重ねたケース体１が崩れたりしない良好な積重ね状態が得られることになる。
【００３４】
閉塞体２は、図１〜４に図示したようにケース体１の正面開口部１ａに着脱自在に係合装着し開口部５ａを有する枠材５と、この枠材５の開口縁部に上下回動自在に枢着連結し該枠材５の開口部５ａを開閉する蓋材６とから成り、ケース体１の正面開口部１ａに対して枠材５を上下反転させて係合装着可能に設けて、蓋材６の開閉方向を上開き若しくは下開きのいずれか一方の方向に設定し得る構成としている。
【００３５】
枠材５は、図３，４に図示したように適宜な合成樹脂製の部材で形成したものであり、正面視方形状の開口部５ａを有する方形枠状体である。
【００３６】
また、枠材５の開口縁部にしてケース体１に設けられた軸状部７に対設される上下対向縁部に突き合せ方向に開口するＣ字状の凹状部８が設けられている。
【００３７】
また、枠材５の開口部５ａの上側左右開口縁部には、後述する蓋材６の上側左右縁部に突出する枢着軸６ａを軸受する軸受部５ｂが設けられ、更に、枠材５の開口部５ａの上側開口縁部には、蓋材６に設けられるＣ字状の軸受部６ｂに軸受される枢着軸５ｃが設けられている。
【００３８】
従って、蓋材６は、蓋材５の上側開口縁部に上下回動自在に枢着連結し該枠材５の開口部５ａを開閉する。
【００３９】
蓋材６は、図３，４に図示したように適宜な合成樹脂製の部材で形成したものであり、正面視方形状の方形板状体である。
【００４０】
また、蓋材６は、上側左右縁部には、枠材５に設けられた軸受部５ｂで軸受される枢着軸６ａが突設され、更に、上側縁部には、枠材５に設けられた枢着軸５ｃを軸受するＣ字状の軸受部６ｂが設けられている。
【００４１】
また、蓋材６の外面下方中央位置には凹状の指掛け部12が設けられている。
【００４２】
また、本実施例では、蓋材６が枠材５の開口部５ａを閉塞した状態に係止保持する係脱自在な蓋閉塞保持手段９を備えている。
【００４３】
この蓋閉塞保持手段９は、蓋材６の先端部（下端部）に閉塞用係止凸部９ａを一体成形し、この蓋材６を枠材５に対し閉塞回動させて開口部５ａを閉塞した際に閉塞用係止凸部９ａが係脱自在に乗り越え係止する閉塞用係合凸部９ｂを、枠材５の開口縁部（若しくは開口縁部の近傍）に一体成形して構成されている。
【００４４】
具体的には、図９〜11に図示したように蓋閉塞保持手段９は、蓋材６の先端部（下端部）の内側に閉塞用係止凸部９ａを一体成形し、枠材５の開口部５ａの下側開口縁部に閉塞用係合凸部９ｂを一体成形した構成としている。
【００４５】
従って、蓋閉塞保持手段９は、後述する蓋開放保持手段10と同様、係止凸部が係合凹部に係止する係止保持手段ではなく、凸部９ａ・９ｂ同士の係止保持手段であるため、この閉塞用係止凸部９ａと閉塞用係合凸部９ｂとの寸法に多少バラつきがあっても、また枠材５や蓋材６に多少の歪みがあっても確実に凸部９ａ・９ｂ同士は係止でき、従って蓋閉塞保持手段９を具備する枠材５と蓋材６とは、凸部９ａ・９ｂに寸法や部材の歪みまで考慮された成形精度を要せずに容易に型成形可能である。
【００４６】
また、本実施例では、蓋材６を開放回動して前記枠材５の開口部５ａを開放した状態に係止保持する係脱自在な蓋開放保持手段10を備えている。
【００４７】
この蓋開放保持手段10は、図５〜８に図示したように蓋材６の基端部（上端部）である枢着側端部に開放用係止凸部10ａを一体成形し、この蓋材６を開放回動させて開口部５ａを開放した際に開放用係止凸部10ａが係脱自在に乗り越え係止する開放用係合凸部10ｂを、枠材５の開口縁部（若しくは開口縁部の近傍）に一体成形して構成されている。
【００４８】
開放用係止凸部10ａは、蓋材６の基端部（上端部）に形成された正面側に下り傾斜する傾斜面に、一本の突条を蓋材６の巾方向に長さを有する状態で形成して構成され、蓋材６の閉塞状態の際には、デザインの一部として機能する。
【００４９】
また、本実施例では、開放用係合凸部10ｂが一体成形される枠材５の開口縁部（若しくは開口縁部の近傍）を、開放用係止凸部10ａが係脱自在に乗り越え係止する際に開放用係合凸部10ｂが没方向へ移動するよう弾性変形する合成樹脂製の板状部11で構成している。
【００５０】
この板状部11は断面円弧凹状であり、この板状部11の凹状内面には該板状部11の巾方向に複数（４本）の凸条から成る開放用係合凸部10ｂが一体成形され、この各開放用係合凸部10ｂ同士は等間隔を介して設けられている。
【００５１】
また、蓋開放保持手段10は、蓋材６を、水平より上方の開放回動位置で係止保持するように、少なくとも蓋材６に一体成形する開放用係止凸部10ａの成形位置を設定構成している。
【００５２】
従って、この蓋開放保持手段10は、前述した蓋閉塞保持手段９と同様、係止凸部が係合凹部に係止する係止保持手段ではなく、凸部10ａ・10ｂ同士の係止保持手段であるため、開放用係止凸部10ａと開放用係合凸部10ｂとの寸法に多少バラつきがあっても、また枠材５や蓋材６に多少の歪みがあっても確実に凸部10ａ・10ｂ同士は係止でき、従って蓋開放保持手段10を具備する枠材５と蓋材６とは、凸部10ａ・10ｂに寸法や部材の歪みまで考慮された成形精度を要せずに容易に型成形可能である。
【００５３】
本実施例は上述のように構成したから、例えばケース体１の正面開口部１ａを閉塞する閉塞体２を開放操作し、ケース体１内への収納物の出し入れを行う。
【００５４】
具体的には、閉塞体２は、ケース体１の正面開口部１ａに着脱自在に係合装着し開口部５ａを有する枠材５と、この枠材５の開口縁部に上下回動自在に枢着連結し該枠材５の開口部５ａを開閉する蓋材６とから成り、蓋材６を回動操作して枠材５の開口部５ａを開放し、この枠材５の開口部５ａからケース体１内への収納物の出し入れを行う。
【００５５】
ところで、本実施例は、ケース体１の正面開口部１ａに対して枠材５を上下反転させて係合装着可能に設けて、蓋材６の開閉方向を上開き若しくは下開きのいずれの方向に設定し得る構成としており、例えば単独での使用時は勿論、ケース体１を複数用意し、このケース体１同士を上下に積重ねた状態での使用の場合、例えば、上段のケース体１に設けられる閉塞体２の蓋材６を上開きできる状態とし、下段のケース体１に設けられる閉塞体２の蓋材６を、ケース体１の正面開口部１ａに対して枠材５を上下反転させて装着することで下開きできる状態とするというような、ユーザーの使い勝手に応じた使用スタイルが得られる。
【００５６】
また、本実施例は、蓋材６が枠材５の開口部５ａを閉塞した状態に係止保持する係脱自在な蓋閉塞保持手段９を備えるとともに、蓋材６を開放回動して枠材５の開口部５ａを開放した状態に係止保持する係脱自在な蓋開放保持手段10を備えており、前述したように枠材５を上下反転させる作業の際、不意に扉材６が開放してしまうことは無く作業性が良く、また、実際の使用時、下開きするような状態での使用時に閉じ状態の扉材６が不意に開放したり、一方、上開きするような状態での使用時に開いた蓋材６が不意に閉じてしまうことは無いなど、様々な場面において両手段が十分に機能することになる。
【００５７】
よって、本実施例によれば、ユーザーの使い勝手に応じて使用スタイルを適宜選択することができ、しかも、秀れた機能を発揮するなど、非常に便利で実用的な収納ケースとなる。
【００５８】
尚、本発明は、本実施例に限られるものではなく、各構成要件の具体的構成は適宜設計し得るものである。
【符号の説明】
【００５９】
１  ケース体
１ａ  正面開口部
２  閉塞体
３  上係合部
４  下係合部
５  枠材
５ａ  開口部
６  蓋材
７  軸状部
８  凹状部
９  蓋閉塞保持手段
９ａ  閉塞用係止凸部
９ｂ  閉塞用係合凸部
10  蓋開放保持手段
10ａ  開放用係止凸部
10ｂ  開放用係合凸部
11  板状部
12  指掛け部
【図１】
0006289424.tif 000002
【図２】
0006289424.tif 000003
【図３】
0006289424.tif 000004
【図４】
0006289424.tif 000005
【図５】
0006289424.tif 000006
【図６】
0006289424.tif 000007
【図７】
0006289424.tif 000008
【図８】
0006289424.tif 000009
【図９】
0006289424.tif 000010
【図１０】
0006289424.tif 000011
【図１１】
0006289424.tif 000012
【図１２】
0006289424.tif 000013